(57)【要約】【課題】十分な耐久性を有するとともに長期間使用しても飽きの来ない構成のランドセルを提供する。【解決手段】ランドセル１を、ボックス状の上面開口の合成皮革製収納部３と、収納部３の上面開口部９の背面側縁部１１に一端部が接続され、他端部に固定金具１３が取り付けられたシート状の合成皮革製蓋部１５と、収納部３の背面部５の上端部と蓋部１５の一端部との間に配置された、収納部３と蓋部１５とを取り外し可能に接続するスライド式接続部材１７と、蓋部１５の両方の側端縁部１９及び他端縁部２１に取り付けられた合成皮革製フリル２３と、から構成する。【選択図】図１
2017023423.tif 000002
【特許請求の範囲】
【請求項１】
学童用のランドセルであって、
正面部、背面部、底面部及び一対の側面部を有する上面開口の収納部と、
前記収納部の前記背面部上端に接続されて、前記収納部の上面の開口部及び前記正面部を開放可能に覆う蓋部と、
前記収納部の前記背面部上端と前記蓋部との間に設けられた、前記蓋部を取り外し可能に前記収納部に接続する接続部材と、を備えた、ことを特徴とするランドセル。
【請求項２】
前記接続部材は、前記収納部側又は前記蓋部側の一方に取り付けられた、周方向一個所に長さ方向に延びるスリットを有する細長いケースと、前記収納部側又は前記蓋部側の他方に取り付けられた、前記ケースの長さ方向一端部からこのケース内にスライドして差し込まれている細長い挿入部材と、を有し、
前記挿入部材は、前記ケースに差し込まれたときに前記スリットから外れないように形成されている、ことを特徴とする請求項１記載のランドセル。
【請求項３】
前記挿入部材の長さ方向両端部には、前記ケースの長さ方向端部に当接する抜け止め部が設けられていて、この抜け止め部の少なくとも一方は前記挿入部材から取り外すことができるように構成されている、ことを特徴とする請求項２記載のランドセル。
【請求項４】
前記接続部材は、前記収納部側又は前記蓋部側の一方に取り付けられた受け部と、前記収納部側又は前記蓋部側の他方に取り付けられた、前記受け部に差し込まれてこの受け部とスナップ係合する差し込み部と、を有している、ことを特徴とする請求項１記載のランドセル。
【請求項５】
前記蓋部の周縁部にはフリルが設けられている、ことを特徴とする請求項１、２、３又は４記載のランドセル。
【請求項６】
前記フリルは長さ方向に波打つように形成されている、ことを特徴とする請求項５記載のランドセル。
【請求項７】
学童用のランドセルの収納部に接続されるランドセル用蓋であって、
前記蓋には前記収納部の背面部上端に取り外し可能に接続するための接続構造が設けられている、ことを特徴とするランドセル用蓋。
【請求項８】
前記蓋の周縁部にはフリルが設けられている、ことを特徴とする請求項７記載のランドセル用蓋。
【発明の詳細な説明】
【技術分野】
【０００１】
本発明は、学童が通学時に背負って使用する、例えば皮革製又は合成皮革製のランドセル及びこのようなランドセルに用いる例えば皮革製又は合成皮革製のランドセル用蓋に関する。
【背景技術】
【０００２】
ランドセルは、例えば特許文献１に示すように上面開口の箱型の収納部をシート状の蓋で開閉可能に覆った構成を有している。このような構成のランドセルは学童が長い期間、例えば小学生が６年間使用できるように、皮革又は合成皮革等が用いられて十分な耐久性が与えられている。
【先行技術文献】
【特許文献】
【０００３】
【特許文献１】特開２０１４−４２７１３号公報
【発明の概要】
【発明が解決しようとする課題】
【０００４】
しかしながら、ランドセルの基本的な形態は特許文献１に記載されたようにシンプルであり、したがって比較的早期にランドセルの使用に飽きてしまう学童も少なくない。
【０００５】
そこで本発明は、十分な耐久性を有するとともに長期間使用しても飽きの来ない構成のランドセル及びこのようなランドセルに用いるランドセル用蓋の提供を目的とする。
【０００６】
この目的を達成するための本発明のランドセルは、例えば皮革製又は合成皮革製である学童用のランドセルであって、正面部、背面部、底面部及び一対の側面部を有する上面開口の例えば皮革製又は合成皮革製の収納部と、前記収納部の前記背面部上端（先端）に接続されて、前記収納部の上面の開口部及び前記正面部を開放可能に覆う例えば皮革製又は合成皮革製の蓋部と、前記収納部の前記背面部上端（先端）と前記蓋部との間に設けられた、前記蓋部を取り外し可能に前記収納部に接続する接続部材（接続構造部）と、を備えたものである。ランドセルはシンプルなデザインのものが多いが、蓋部を適当に取り替えながら飽きが来ないように長期間にわたって使用することができる。
【０００７】
接続部材は、収納部側又は蓋部側の一方に取り付けられた、周方向一個所に長さ方向に延びるスリットを有する細長いケースと、収納部側又は蓋部側の他方に取り付けられた、ケースの長さ方向一端部からこのケース内にスライドして差し込まれている細長い挿入部材と、を有するように構成できる。挿入部材は、例えばスリットの幅よりも十分太く形成され、スリットから外れないように又はケースに差し込まれたときにスリットから外れないように構成されている。ケースはスリットが容易に広がることのないような剛性を有するように例えばプラスチック製、繊維強化プラスチック製又は金属製とすることができる。ケースと挿入部材とから接続部材を構成することにより、接続部材を目立たないように構成することが可能である。挿入部材は例えばプラスチック製、繊維強化プラスチック製又は金属製とすることができる。ここでは、挿入部材の長さ方向両端部に、ケースの長さ方向端部に当接する抜け止め部を形成し、この抜け止め部の少なくとも一方を挿入部材から取り外すことができるように構成することができる。あるいは、ケースの長さ方向両端部にそれぞれ、挿入部材の長さ方向両端に当接する抜け止め部を形成しておくこともできる。そして例えば、この抜け止め部の少なくとも一方をケースから取り外すことができるように構成しておく。
【０００８】
接続部材は、収納部側又は蓋部側の一方に取り付けられた例えば金属製、プラスチック製又は繊維強化プラスチック製の受け部と、収納部側又は蓋部側の他方に取り付けられた、受け部に差し込まれてこの受け部とスナップ係合する例えば金属製、プラスチック製又は繊維強化プラスチック製の差し込み部と、を有するように構成できる。このような接続部材の構成では接続作業の容易性を向上させ、接続強度を高めることができる。差し込み部はバネで外側に突出するように付勢されている係合つめを有することができ、この係合つめが受け部とスナップ係合するように差し込み部を受け部に差し込んで収納部に蓋部を接続する、といったように構成できる。ここでは、係合つめをバネ力に抗して押し込んで差し込み部を受け部から抜き出すことができる。
【０００９】
蓋部は例えばシート状に形成されるが、蓋部の周縁部にはフリルを外側に突出させて設けることができる。フリルは例えば接続部材側を除いて蓋部の全周に設けられる。ランドセルはシンプルなデザインのものが多く、蓋部の周縁部に設けられた変化に富んだデザインのフリルは蓋部の外周に注意を集める。フリルは例えば長さ方向に波打つように形成される。このように構成すると、フリルは蓋部の外縁を中心として内外に波打つので、蓋部と収納部の正面部との間が見えにくくなる。
【００１０】
また、この目的を達成するための本発明のランドセル用蓋（ランドセル用かぶせ蓋）は、学童用のランドセルの収納部に接続されるランドセル用蓋であって、前記蓋には前記収納部の背面部上端に取り外し可能に接続するための接続構造が設けられているものである。ランドセル用蓋は例えば皮革製又は合成皮革製である。蓋の周縁部に沿って例えば皮革製又は合成皮革製フリルを設けることができる。フリルは例えば接続構造側を除いて蓋の全周に設けられる。
【発明の効果】
【００１１】
本発明のランドセルでは、蓋部又は蓋を取り外して別の蓋部又は蓋に取り替えることができる。
【図面の簡単な説明】
【００１２】
【図１】本発明に係るランドセルの全体斜視図である。
【図２】ランドセルの分解斜視図である。
【図３】ランドセルの底面図である。
【図４】フリル帯の形成方法を示す図である。
【図５】フリル帯を蓋部に取り付ける方法を示す図である。
【図６】スライド式接続部材の構成を示す図である。
【図７】スライド式接続部材の変更例を示す図である。
【図８】本発明に係る別のランドセルの全体構成を示す図である。
【図９】スナップ差し込み式接続部材の構成を示す図である。
【図１０】ランドセルの他の蓋部を示す図である。
【発明を実施するための形態】
【００１３】
以下、図面を参照して本発明の実施の形態を説明する。
【００１４】
まず、図１乃至図３を参照して本発明に係るランドセルの全体的な構成を説明する。
【００１５】
ランドセル１は全体的に合成皮革で構成されていて、ボックス状の上面開口の合成皮革製収納部３と、この収納部３の背面部５から底面部２５にかけて取り付けられた一対の合成皮革製背負いベルト７と、収納部３の上面開口部９の背面側縁部１１に一端部が接続され、他端部に取り付け部材１２を介して固定金具１３が取り付けられたシート状の合成皮革製蓋部１５と、収納部３の背面部５の上端部と蓋部１５の一端部との間に配置された、収納部３と蓋部１５とを取り外し可能に接続するスライド式接続部材１７と、蓋部１５の両方の側端縁部１９及び他端縁部２１に取り付けられた合成皮革製フリル２３と、収納部３の底面部２５に取り付けられた、蓋部１５の固定金具１３を取り外し可能に接続するための保持金具２７と、を備えている。蓋部１５とフリル２３とでランドセル用蓋が構成される。スライド式接続部材１７は、収納部３の背面部５の上端部に取り付けられた細長いガイド保持部材（ケース）２９と、蓋部１５の一端部に取り付けられた細長い差込部材（挿入部材）３１と、を有し、差込部材３１をガイド保持部材２９の長さ方向一端からガイド保持部材２９にスライドさせて差し込むことにより、収納部３と蓋部１５とが接続されるように構成されている。ここでは、フリル２３は収納部３よりも外側に突出しているが、フリル２３の早期の磨耗を防止するためにフリル２３が収納部３よりも外側に突出しないように又はフリル２３が収納部３よりも外側に大きく突出しないように形成することもできる。
【００１６】
次に、図４及び図５を参照してフリル２３の形成方法を説明する。
【００１７】
フリル２３を設けるにはまず、図４に示すように、合成皮革製の帯状体３３を幅方向中央で折り返して重ね合わせ（図４ａ）、分離側の端部同士を糸３５で縫い付け（図４ｂ）、糸３５で縫い付けた端部同士の長さ方向での浪打程度を調整し、概略コ字状で折り返し側に長さ方向で大きな波打（フリル）が形成されたフリル帯３７を形成する（図４ｃ）。シート状の蓋部１５は、２枚の合成皮革製シート３９を貼り合わせることにより形成されるので、次に、図５に示すように、合成皮革製シート３９を張り合わせるときに、糸３５で縫い付けた、フリル帯３７の内端部を合成皮革製シート３９の他端部及び両方の側端部間に差し込み（図５ａ）、フリル帯３７の内端部を合成皮革製シート３９とともに糸４１で縫い付けて蓋部１５の外周からフリル２３を突出させる（図５ｂ）。ここでは、蓋部１５は収納部３の正面部４３よりも幅が狭く、また、蓋部１５の固定金具１３を収納部３の保持金具２７に接続したときに他端部が収納部３の底面部２５よりも手前（上面開口部９側）に位置するように形成されていて、蓋部１５の固定金具１３を収納部３の保持金具２７に接続したときにフリル２３の外周端部が収納部３の正面部４３の外縁から突出し、収納部３の背面部５の外縁とほぼ一致するように又は収納部３の背面部５の外縁からわずかに突出するように構成されている。
【００１８】
図２及び図６を参照してスライド式接続部材１７の構成を詳細に説明する。
【００１９】
ガイド保持部材２９は例えば繊維強化プラスチック製であり、断面円形のパイプ体であって、周方向一個所に全長にわたって延びるスリット４５が形成され、スリット４５と反対側の外面に全長にわたって延びる固定用突出部４７を有している。スリット４５はガイド保持部材２９の上端部に形成されているが、前方寄り（図６の右側寄り）に形成してもよい。固定用突出部４７には差し込み溝４９が形成され、収納部３の上面開口部９の背面側縁部１１又は背面部５の上端部がこの差し込み溝４９に差し込まれて固定されている。差し込み部材３１も例えば繊維強化プラスチック製であり、ガイド保持部材２９の内側に入り込める又は差し込める大きさの断面円形の中実体であって、周方向一個所にほぼ全長にわたって又は両端部を除いて延びる差し入れ溝５１が形成され、蓋部１５の一端部がこの差し入れ溝５１に差し入れられて固定されている。差し込み部材３１の両端部には雄ネジ部５３が形成され、この雄ネジ部５３に大径の抜け止めキャップ５５を螺着できるように構成されている。なお、図２ではフリル２３を省略して蓋部１５を表示している。
【００２０】
蓋部１５を収納部３に取り付けるには、蓋部１５をガイド保持部材２９のスリット４５に一致させた状態で差し込み部材３１を他端部側からガイド保持部材２９内にスライドさせて差し込む（図２の矢印Ａ）。差し込み部材３１の両端部の雄ネジ部５３がそれぞれ、ガイド保持部材２９から突出するように調整し、ガイド保持部材２９から突出している雄ネジ部５３にそれぞれ抜け止めキャップ５５を取り付けて（図２の矢印Ｂ）差し込み部材３１がガイド保持部材２９から抜けないようにする。なお、差し込み部材３１の一端部の雄ネジ部５３に抜け止めキャップ５５を取り付けてから差し込み部材３１を他端部側からガイド保持部材２９内にスライドさせて差し込んでもよい。
【００２１】
反対に蓋部１５を収納部３から取り外すには、抜け止めキャップ５５を差し込み部材３１の雄ネジ部５３から取り外して、差し込み部材３１をガイド保持部材２９から抜き出す。
【００２２】
図７を参照してスライド式接続部材１７の変形例を説明する。
【００２３】
ガイド保持部材２９をスリット４５を有する断面正方形又は長方形のパイプ体に形成し、差し込み部材３１を、ガイド保持部材２９の内側中空部に入り込める又は差し込める大きさの断面正方形の中実体に形成できる（図７ａ）。また、ガイド保持部材２９をスリット４５を有する断面三角形のパイプ体に形成し、差し込み部材３１を、ガイド保持部材２９の内側に入り込める又は差し込める大きさの断面三角形の中実体に形成できる（図７ｂ）。
【００２４】
図８及び図９を参照して本発明に係る別のランドセルの構成を説明する。
【００２５】
別のランドセル６１は、収納部３の背面部５の上端部と蓋部１５の一端部との間に配置された、収納部３と蓋部１５とを取り外し可能に接続するスナップ差し込み式接続部材６３を有している点を除いてランドセル１と同一の構成を有しているので、ランドセル１と同一の構成部分には同一の符号を付して説明を省略する。
【００２６】
スナップ差し込み式接続部材６３は、収納部３の背面部５の上端部に幅方向に間隔を設けて取り付けられた２つの金属製受け入れ部材６５と、蓋部１５の一端部に受け入れ部材６５に対応するように取り付けられた２つの金属製スナップ式差込部材６７と、を有し、受け入れ部材６５は差し込み側に差し込み孔６９を有し、取り付け側に嵌め込み溝７１が形成され、また、幅の広い一対の側面部（前面部及び後面部）にそれぞれ係合窓７３を有していて、背面部５の上端部がこの嵌め込み溝７１に差し入れられて固定されることにより背面部５側に取り付けられている。また、スナップ式差込部材６７は取り付け側に嵌め込み溝７５が形成され、幅の広い一対の側面部（前面部及び後面部）にそれぞれ、バネ（図示せず）で突出方向に付勢された断面三角形状の係合突起７７を有する差し込み片状に形成され、蓋部１５の一端部がこの嵌め込み溝７５に差し入れられて固定されることにより蓋部１５側に取り付けられている。蓋部１５を収納部３に取り付けるには、スナップ式差込部材６７を受け入れ部材６５の先端開口から差し込み孔６９に差し込む。このとき、係合突起（係合つめ）７７は受け入れ部材６５の側面部（前面部及び後面部）に押され、バネ力に抗してスナップ式差込部材６７内に没入するが、スナップ式差込部材６７をさらに差し込むと、スナップ式差込部材６７からスナップ的に突出し、係合窓７３に入り込んで受け入れ部材６５と抜け止め係合する。
【００２７】
反対に蓋部１５を収納部３から取り外すには、係合突起７７をスナップ式差込部材６７内に押し込み、係合突起７７と係合窓７３との係合を解除してスナップ式差込部材６７を受け入れ部材６５から引き抜く。
【００２８】
なお、受け入れ部材６５及びスナップ式差込部材６７を長く形成し、それぞれ一本の受け入れ部材６５及びスナップ式差込部材６７を使用するように構成してもよい。
【００２９】
また、取り替え用の蓋部１５としては、フリルを有しない単純なシート状の蓋部１５や図１０に示すような網状の蓋部１５を用いることができる。
【産業上の利用可能性】
【００３０】
本発明のランドセル及びランドセル用蓋は学童に普及させることができる。
【符号の説明】
【００３１】
１、６１                                ランドセル
３                                      収納部
１５                                    蓋部
２３                                    フリル
１７                                    スライド式接続部材
６３                                    スナップ差し込み式接続部材
【図１】
2017023423.tif 000003
【図２】
2017023423.tif 000004
【図３】
2017023423.tif 000005
【図４】
2017023423.tif 000006
【図５】
2017023423.tif 000007
【図６】
2017023423.tif 000008
【図７】
2017023423.tif 000009
【図８】
2017023423.tif 000010
【図９】
2017023423.tif 000011
【図１０】
2017023423.tif 000012